(57)【要約】  小径マウンティングカップを備えたＰＥＴ製エアゾール容器の多様化、および金属製エアゾール容器の大径マウンティングカップ仕様の外装品の有効利用化を図る。  金属製エアゾール容器本体の大径マウンティングカップの周方向縁部分に取り付けられる着脱キャップ１６などの各種外装品を、ＰＥＴ製エアゾール容器本体１の小径マウンティングカップ２でも使用可とした。そのためのいわば治具として、小径マウンティングカップ２に取り付けられる中間筒状部６ｄと、その外側に配設されて着脱キャップ１６が取り付けられる外端筒状部６ｅと、を備えた外装品用アダプタ６を用いる。外装品用アダプタ６を介在させることにより、小径マウンティングカップ２のＰＥＴ製エアゾール容器本体１でも大径マウンティングカップ仕様の外装品を用いることができる。
2016208488.tif 000002
【特許請求の範囲】
【請求項１】
第一のエアゾール容器の大径マウンティングカップの周方向縁部分に取り付けられる各種外装品を、第二のエアゾール容器の小径マウンティングカップでも使用可とする、ためのマウンティングカップ外装品用アダプタにおいて、
前記第二のエアゾール容器の内容物放出操作と連動するステムの移動用開口部と、
前記小径マウンティングカップに取り付けられる小径の被取付け部と、
前記被取付け部の外側周方向に前記大径マウンティングカップと同じ径態様で形成されて、前記各種外装品が取付け可能な大径の外装品取付け部と、を備えている、
ことを特徴とするマウンティングカップ外装品用アダプタ。
【請求項２】
前記被取付け部は、
前記小径マウンティングカップの外周面側に取り付けられる、
ことを特徴とする請求項１記載のマウンティングカップ外装品用アダプタ。
【請求項３】
請求項１または請求項２に記載のマウンティングカップ外装品用アダプタを備え、
前記被取付け部が、
前記第二のエアゾール容器の前記小径マウンティングカップに取り付けられている、
ことを特徴とするエアゾール噴射機構。
【請求項４】
請求項３に記載のエアゾール噴射機構を備え、かつ、圧縮ガスの噴射剤および放出対象内容物を収容した、
ことを特徴とするエアゾール式製品。
【発明の詳細な説明】
【技術分野】
【０００１】
本発明は、第一のエアゾール容器の大径マウンティングカップに取り付けられる各種外装品（着脱キャップ，ワンタッチキャップ，スパウトなど）を、第二のエアゾール容器の小径マウンティングカップでも使用可とする、ための外装品用アダプタに関する。【０００２】
第一のエアゾール容器には例えば金属製エアゾール容器が対応し、第二のエアゾール容器にはこれよりも小容量でＰＥＴ製（ポリエチレンテレフタレート製）のエアゾール容器などが対応する。【０００３】
汎用性の高い金属製エアゾール容器で用いられる各種のマウンティングカップ外装品を、それより小径のマウンティングカップが取り付けられた例えばＰＥＴ製エアゾール容器でも用いることが望まれており、本発明はこのような要請に応えるものである。【０００４】
なお、本明細書では原則として、「エアゾール容器」を、エアゾール容器本体にマウンティングカップや操作ボタンなどが取り付けられた状態の容器を示す意で用いる。【０００５】
また、大径マウンティングカップを持つエアゾール容器の例として「金属製エアゾール容器」を用い、小径マウンティングカップを持つエアゾール容器の例として「ＰＥＴ製エアゾール容器」を用いる。
【背景技術】
【０００６】
従来、大径マウンティングカップが取り付けられたいわば高汎用性の金属製エアゾール容器とは別に、小径マウンティングカップを用いたプラスチック製の例えばＰＥＴ製エアゾール容器も提供されている（特許文献１）。
【先行技術文献】
【特許文献】
【０００７】
【特許文献１】特開２００５−１６２２３１号公報
【発明の概要】
【発明が解決しようとする課題】
【０００８】
このようなＰＥＴ製エアゾール容器は、その容器本体上側であってマウンティングカップの取付け対象となる開口部の径が金属製エアゾール容器のそれよりも小さい。【０００９】
すなわち、ＰＥＴ製エアゾール容器のマウンティングカップは「小径」からなり、金属製エアゾール容器のマウンティングカップは「大径」のものである。【００１０】
そのため、金属製エアゾール容器の「大径」のマウンティングカップを対象として用意される多種・多様の外装品が、ＰＥＴ製エアゾール容器のマウンティングカップに使用されることはなかった。【００１１】
本発明は、このようなＰＥＴ製エアゾール容器の小径マウンティングカップにアダプタを取り付けることにより、当該小径マウンティングカップの実質的な径方向幅を、金属製エアゾール容器の大径マウンティングカップの大きさまで広げたものである。【００１２】
このアダプタの採用によって小径マウンティングカップの径方向が拡大し、金属製エアゾール容器のマウンティングを対象とした多くのカップ外装品がＰＥＴ製エアゾール容器にも利用されることになる。【００１３】
これにより、小径マウンティングカップを備えたＰＥＴ製エアゾール容器の使用者側の利便化や、金属製エアゾール容器の大径マウンティングカップ仕様を前提とした外装品の有効利用化を図ることを目的とする。
【課題を解決するための手段】
【００１４】
本発明は、以上の課題を次のようにして解決する。
（１）第一のエアゾール容器（例えば後述の金属製エアゾール容器本体１１など）の大径マウンティングカップ（例えば後述の大径マウンティングカップ１２）の周方向縁部分に取り付けられる各種外装品（例えば後述の着脱キャップ１６）を、第二のエアゾール容器（例えば後述のＰＥＴ製エアゾール容器本体１など）の小径マウンティングカップ（例えば後述の小径マウンティングカップ２）でも使用可とする、ためのマウンティングカップ外装品用アダプタ（例えば後述のアダプタ６）において、
前記第二のエアゾール容器の内容物放出操作と連動するステムの移動用開口部（例えば後述の中央開口部６ｂ）と、
前記小径マウンティングカップに取り付けられる小径の被取付け部（例えば後述の中間筒状部６ｄ）と、
前記被取付け部の外側周方向に前記大径マウンティングカップと同じ径態様で形成されて、前記各種外装品が取付け可能な大径の外装品取付け部（例えば後述の外端筒状部６ｅ）と、を備えた、
構成態様のものを用いる。
（２）上記（１）において、
前記被取付け部は、
前記小径マウンティングカップの外周面側に取り付けられた、
構成態様のものを用いる。
（３）上記（１）または（２）に記載のマウンティングカップ外装品用アダプタを備え、
前記被取付け部が、
前記第二のエアゾール容器の前記小径マウンティングカップに取り付けられた、
構成態様のエアゾール噴射機構を用いる。【００１５】
本発明は、このような構成からなるエアゾール容器の小径マウンティングカップの外装品用アダプタ、このマウンティングカップ外装品用アダプタを備えたエアゾール噴射機構、およびこのエアゾール噴射機構を備えたエアゾール式製品を対象としている。
【発明の効果】
【００１６】
本発明は以上の課題解決手段により、
(11)小径マウンティングカップを持つＰＥＴ製エアゾール容器の使用者側の利便化を図ることができ、
(12)金属製エアゾール容器の大径マウンティングカップ仕様を前提とした外装品の有効利用化を図ることができる、
といった効果を奏している。
【図面の簡単な説明】
【００１７】
【図１】小径マウンティングカップを備え、ステムに操作ボタンが取り付けられた状態（静止モード）のＰＥＴ製エアゾール容器を示す説明図である。
【図２】図１のＰＥＴ製エアゾール容器の操作ボタンを取り外して、その小径マウンティングカップにアダプタが取り付けられた状態を示す説明図である。
【図３】図２のステムに操作ボタンを再度取り付けた上で、アダプタに金属製アゾール容器用の着脱キャップが取り付けられた状態を示す説明図である。
【図４】大径マウンティングカップを備え、ステムに操作ボタンが、大径マウンティングカップに着脱キャップがそれぞれ取り付けられた状態（静止モード）の金属製エアゾール容器を示す説明図である。
【発明を実施するための形態】
【００１８】
図１〜図４を用いて本発明を実施するための形態を説明する。
【００１９】
なお、原則として、各図で用いるアルファベット付き参照番号の構成要素（例えば上小径筒状部２ａ）は当該参照番号の数字部分の構成要素（例えば小径マウンティングカップ２）の一部であることを示している。
【００２０】
以下の図１〜図４の各構成要素の中、本発明で新たに用いるのは「アダプタ６」のみであり、その他の構成要素はそれぞれ知られている。
【００２１】
図１〜図４では、単なる説明の便宜上、マウンティングカップに着脱キャップが外嵌合する場合を前提としている。
【００２２】
図１〜図３のＰＥＴ製エアゾール容器において、
１は後述の噴射用ガスおよび放出内容物が収容されたＰＥＴ製（ポリエチレンテレフタレート製）エアゾール容器本体，
２はＰＥＴ製エアゾール容器本体１に取り付けられた小径マウンティングカップ，
２ａは当該小径マウンティングカップの上側を構成する上小径筒状部，
２ｂは当該小径マウンティングカップの下側を構成する下大径筒状部，
２ｃは上小径筒状部２ａの下端部分と下大径筒状部２ｂの上端部分との間に連続形成された環状上平面，
３は小径マウンティングカップ２の上小径筒状部２ａの内部に係合保持されたハウジング，
４は弾性作用により上方に付勢された状態でハウジング３に収容されて、内容物放出操作にともない周知のステムガスケット(図示省略)との間のバルブ作用を呈するステム，
５はステム４に取り付けられた内容物放出操作用の操作ボタン，
５ａは当該操作ボタンの内容物通路部の下流端に形成された放出孔部，
６は環状天板部とその下面側の各筒状部とを備え、小径マウンティングカップ２に保持された状態で、もともと後述の金属製エアゾール容器の大径マウンティングカップ１２へ取り付けられる外装品（後述の着脱キャップ１６など）を嵌合保持しえるアダプタ，
６ａは後述の大径マウンティングカップ１２と略同じ外径からなる環状天板部，
６ｂは環状天板部６ａの内方に形成されて、その中をステム４が上下方向に移動する中央開口部，
６ｃは環状天板部６ａの内端側（中央開口部６ｂの外縁側）下方に形成されて、上小径筒状部２ａの下端外周面部分および環状上平面２ｃの内端部分それぞれに当接保持される内端筒状部，
６ｄは環状天板部６ａの径方向中間側下方に形成されて、下大径筒状部２ｂの外周面に嵌合保持される中間筒状部，
６ｅは環状天板部６ａの外端側下方に、後述の大径マウンティングカップ１２の環状外周面と略同じ形状で形成されて、後述の着脱キャップ１６が取り付けられる外端筒状部，
１６は本来、後述の金属製エアゾール容器本体１１の大径マウンティングカップ１２に取り付けられる外装品としての着脱キャップ，
１６ａは当該着脱キャップの内周面下端側に飛び飛びの態様で形成されて、外端筒状部６ｅの下端部分のいわばアンダーカットに係合保持される下端側凸状部，
をそれぞれ示している。
【００２３】
図４の金属製エアゾール容器において、
１１は後述の圧縮ガスおよび放出内容物が収容された金属製エアゾール容器本体，
１２は金属製エアゾール容器本体１１に取り付けられた大径マウンティングカップ，
１２ａは大径マウンティングカップ１２の金属製エアゾール容器本体１１との連結部分下側に形成される環凹状のアンダーカット，
１３は大径マウンティングカップ１２に係合保持されたハウジング，
１４は弾性作用により上方に付勢された状態でハウジング１３に収容されて、内容物放出操作にともない周知のステムガスケット(図示省略)との間のバルブ作用を呈し、ステム４と同一外径からなるステム，
１５はステム１４に取り付けられた内容物放出操作用の操作ボタン，
１５ａは当該操作ボタンの内容物通路部の下流端に形成された放出孔部，
１６はアンダーカット１２ａに取り付けられて操作ボタン１５を保護し、内容物放出操作の際にはあらかじめ取り外される着脱キャップ，
１６ａは当該着脱キャップの内周面下端側に飛び飛びの態様で形成されて、アンダーカット１２ａに係合保持される下端側凸状部，
をそれぞれ示している。
【００２４】
ここでハウジング３，１３、ステム４，１４、操作ボタン５，１５、アダプタ６および着脱キャップ１６はポリプロピレン，ポリエチレン，ポリアセタール，ナイロン，ポリブチレンテレフタレートなどからなるプラスチック製のものである。ステム４，１４は金属製のものでもよい。
【００２５】
また、小径マウンティングカップ２および大径マウンティングカップ１２は金属製のものである。
【００２６】
図１〜図３のＰＥＴ製エアゾール容器についての基本的特徴は、
(21)操作ボタン５をステム４から取り外した上で、アダプタ６の内端筒状部６ｃおよび中間筒状部６ｄを、それぞれ小径マウンティングカップ２の上小径筒状部２ａ，環状上平面２ｃおよび下大径筒状部２ｂに取り付けて保持し、
(22)この被取付け保持状態にかかるアダプタ６の外端筒状部６ｅの下端部分（アンダーカット）に、金属製エアゾール容器用の着脱キャップ１６の下端側凸状部１６ａを係合保持させ、
(23)この係合保持作用により、もともとは金属製エアゾール容器の大径マウンティングカップ１２の環凹状のアンダーカット１２ａに係合保持される着脱キャップ１６を、小径マウンティングカップ２が取り付けられたＰＥＴ製エアゾール容器でも兼用できる、
ことである。
【００２７】
すなわち、容器本体開口部の径に応じた外径のマウンティングカップが個々に取り付けられる複数種類のエアゾール製容器において、小径マウンティングカップの方にアダプタを取り付けてこれを大径マウンティングカップと同じ外径サイズにしている。
【００２８】
このアダプタの採用により、大径マウンティングカップを対象として製造された着脱キャップ，ワンタッチキャップやスパウトなどの各種マウンティングカップ外装品が、小径マウンティングカップのエアゾール容器にも使用可能となる。
【００２９】
図１は、小径マウンティングカップ２を備え、ステム４に操作ボタン５が取り付けられたＰＥＴ製エアゾール容器の静止モードを示している。
【００３０】
ここで、ステム４に取り付けられた操作ボタン５を押し下げると、弁作用部（ステム＋ステムガスケット：図示省略）がそれまでの閉状態から開状態にシフトして、ＰＥＴ製エアゾール容器本体１の内容物が当該操作ボタンの放出孔部５ａから外部空間域に噴射される。この噴射動作自体は勿論周知である。
【００３１】
図２は、図１の静止モードのＰＥＴ製エアゾール容器本体１の操作ボタン５をステム４から取り外して、小径マウンティングカップ２にアダプタ６の内端筒状部６ｃおよび中間筒状部６ｄを取り付けた状態を示している。
【００３２】
図３は、図２のアダプタ６の装着状態で、ステム４に操作ボタン５を再度取り付け、かつ、アダプタ６の外端筒状部６ｅのいわばアンダーカット部分に金属製アゾール容器用の着脱キャップ１６を取り付けた状態を示している。
【００３３】
図４は、大径マウンティングカップ１２を備え、ステム１４に操作ボタン１５が、また大径マウンティングカップ１２には着脱キャップ１６がそれぞれ取り付けられた汎用の金属製エアゾール容器の静止モードを示している。
【００３４】
この大径マウンティングカップ１２に取り付けられた着脱キャップ１６は、上述したように（図３参照）、ＰＥＴ製エアゾール容器本体１のアダプタ６（外端筒状部６ｅ）にも係合保持される。
【００３５】
この着脱キャップ１６を外して操作ボタン１５を押し下げると、図１のＰＥＴ製エアゾール容器本体１の場合と同じように、周知の弁作用により金属製エアゾール容器本体１１の内容物が当該操作ボタンの放出孔部１５ａから外部空間域に噴射される。
【００３６】
本発明は、以上の実施形態に限定されないことは勿論であり、例えば大径マウンティングカップ１２に着脱キャップ１６が内嵌合する場合にも、アダプタ６（外端筒状部６ｅ）の形状をこの内嵌合に対応させることにより適用される。
【００３７】
また、繰り返し述べたように着脱キャップ１６は、アダプタ６の外端筒状部６ｅに取り付けられる大径マウンティングカップ仕様の外装品の一例にすぎない。
【００３８】
本発明が適用されるエアゾール式製品としては、洗浄剤，清掃剤，冷却剤，筋肉消炎剤，育毛剤，染毛剤，ヘアスタイリング剤，ヘアトリートメント剤，日焼け止め，化粧水，クレンジング剤，制汗剤，化粧品，シェービングフォーム，食品，液滴状のもの（ビタミンなど），医薬品，医薬部外品，園芸用剤，殺虫剤，害虫忌避剤，動物忌避剤，消臭剤，洗濯のり，消火器，塗料，接着剤，潤滑剤，ウレタンフォームなどの各種用途のものがある。
【００３９】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００４０】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，塩化マグネシウム，シリカ，酸化亜鉛，酸化チタン，ゼオライト，ナイロンパウダー，硫酸バリウム，セルロース，これらの混合物などを用いる。
【００４１】
油成分としては、ジメチルポリシロキサンなどのシリコーン油，ミリスチン酸イソプロピルなどのエステル油，パーム油，ユーカリ油，ツバキ油，オリーブ油，ホホバ油などの油脂，流動パラフィンなどの炭化水素油，ミリスチン酸，パルミチン酸，ステアリン酸，リノール酸，リノレン酸などの脂肪酸などを用いる。
【００４２】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００４３】
界面活性剤としては、ラウリル硫酸ナトリウムなどのアニオン性界面活性剤，ポリオキシエチレンアルキルエーテルやポリグリセリン脂肪酸エステルなどの非イオン性界面活性剤，ラウリルジメチルアミノ酢酸ベタインなどの両性界面活性剤，塩化アルキルトリメチルアンモニウムなどのカチオン性界面活性剤などを用いる。
【００４４】
高分子化合物としては、ヒドロキシエチルセルロース，メチルセルロース，ゼラチン，デンプン，カゼイン，キサンタンガム，カルボキシビニルポリマーなどを用いる。
【００４５】
各用途に応じた有効成分としては、パラフェニレンジアミン，アミノフェノールなどの染料，過酸化水素水などの酸化剤，アクリル系樹脂やワックスなどのセット剤，パラメトキシケイ皮酸２−エチルヘキシルなどの紫外線吸収剤，レチノールやｄｌ−α−トコフェロールなどのビタミン，ヒアルロン酸などの保湿剤，サリチル酸メチル，インドメタシンなどの消炎鎮痛剤，安息香酸ナトリウム，クレゾールなどの除菌剤，ピレスロイド，ジエチルトルアミドなどの害虫忌避剤，パラフェノールスルホン酸亜鉛などの制汗剤，カンフル，メントールなどの清涼剤，エフェドリン，アドレナリンなどの抗喘息薬，スクラロース，アスパルテームなどの甘味料，エポキシ樹脂，ウレタンなどの接着剤や塗料，パラフェニレンジアミン，アミノフェノールなどの染料，過酸化水素水などの酸化剤，リン酸二水素アンモニウム，炭酸水素ナトリウム・カリウムなどの消火剤などを用いる。
【００４６】
さらに、上記内容物以外の、懸濁剤，乳化剤，酸化防止剤，金属イオン封鎖剤なども用いることができる。
【００４７】
内容物放出射用の噴射剤としては、炭酸ガス，窒素ガス，圧縮空気，酸素ガス，希ガス，これらの混合ガスなどの圧縮ガスを用いる。
【符号の説明】
【００４８】
（図１〜図３）
１：ＰＥＴ製エアゾール容器本体
２：小径マウンティングカップ
２ａ：上小径筒状部
２ｂ：下大径筒状部
２ｃ：環状上平面
３：ハウジング
４：ステム
５：操作ボタン
５ａ：放出孔部
６：環状のアダプタ
６ａ：環状天板部
６ｂ：中央開口部
６ｃ：内端筒状部
６ｄ：中間筒状部
６ｅ：外端筒状部【００４９】
（図４）
１１：金属製エアゾール容器本体
１２：大径マウンティングカップ
１２ａ：アンダーカット
１３：ハウジング
１４：ステム
１５：操作ボタン
１５ａ：放出孔部
１６：着脱キャップ（図３でも使用）
１６ａ：下端側凸状部
【図１】
2016208488.tif 000003
【図２】
2016208488.tif 000004
【図３】
2016208488.tif 000005
【図４】
2016208488.tif 000006
【国際調査報告】
2016208488.tif 000007
2016208488.tif 000008
2016208488.tif 000009
2016208488.tif 000010